(57)【特許請求の範囲】
【請求項１】
アナログ音声信号をデジタルデータに変換するＡ／Ｄ変換部と、デジタルデータをアナログ音声信号に変換するＤ／Ａ変換部とを有するリモコンにおいて、
前記リモコンには、制御部と、アナログ音声信号を生成するマイクロフォンとが備えられるとともに、このマイクロフォンから前記Ａ／Ｄ変換部へのアナログ音声信号の入力ライン上にミュート回路が備えられ、
前記制御部は、前記ミュート回路を動作させ、前記Ａ／Ｄ変換部に対する入力を遮断することによって強制的に前記アナログ音声信号を無信号入力状態とし、このときの前記Ａ／Ｄ変換部におけるＡ／Ｄ変換値の平均値を中点電位とするとともに、前記Ａ/Ｄ変換値の最大値と最小値とから前記中点電位に対する偏位量を求め、これら中点電位および中点電位に対する偏位量を前記リモコンのＤ／Ａ変換部におけるノイズリダクション処理用のデータとして用いる制御構成を備えていることを特徴とするリモコン。
【請求項２】
アナログ音声信号をデジタルデータに変換するＡ／Ｄ変換部を有する第１のリモコンと、デジタルデータをアナログ音声信号に変換するＤ／Ａ変換部を有する第２のリモコンとが通信接続されたリモコンシステムにおいて、
前記第１のリモコンには、制御部と、アナログ音声信号を生成するマイクロフォンとが備えられるとともに、このマイクロフォンから前記Ａ／Ｄ変換部へのアナログ音声信号の入力ライン上にミュート回路が備えられ、
前記第１のリモコンの制御部は、前記ミュート回路を動作させ、前記Ａ／Ｄ変換部に対する入力を遮断することによって強制的に前記第１のリモコンに入力されるアナログ音声信号を無信号入力状態とし、このときの前記第１のリモコンのＡ／Ｄ変換部におけるＡ／Ｄ変換値の平均値を中点電位とするとともに、前記Ａ/Ｄ変換値の最大値と最小値とから前記中点電位に対する偏位量を求め、これら中点電位および中点電位に対する偏位量を前記第２のリモコンに送信し、これらの送信されたデータを前記第２のリモコンのＤ／Ａ変換部におけるノイズリダクション処理用のデータとして用いる制御構成を備えていることを特徴とするリモコンシステム。
【発明の詳細な説明】
【技術分野】
【０００１】
この発明はリモコンおよびリモコンシステムに関し、より詳細には、入力されるアナログ音声信号をデジタルデータに変換して利用するリモコンと変換されたデジタルデータに基づくデータを送受信するリモコンシステムに関する。
【背景技術】
【０００２】
従来、浴槽への湯張りや風呂の追い焚きなどのいわゆる風呂機能を備えた給湯装置には、その遠隔操作装置として、浴室に設置される浴室リモコンと、台所などの浴室以外の場所に設置される浴室外リモコンとが備えられている。
【０００３】
これら浴室リモコンと浴室外リモコンとを有するリモコンシステムは、それぞれ給湯装置のコントローラ（制御部）と通信ケーブルで接続されており、リモコンの操作に応じて各リモコンで生成される制御信号が上記通信ケーブルを介して給湯装置のコントローラに与えられることによって給湯装置の遠隔操作ができるようになっている。
【０００４】
また、これに関連して、浴室リモコンと浴室外リモコンとは給湯装置を介して相互に通信可能になっており、浴室リモコンで操作された内容が浴室外リモコンに反映される（たとえば、浴室リモコンで設定された給湯設定温度が浴室外リモコンにおいても給湯設定温度として設定・表示される）一方、浴室外リモコンで操作された内容も浴室リモコンに反映される（たとえば、浴室外リモコンで設定された給湯設定温度が浴室リモコンに給湯設定温度として設定・表示される）ようになっている。
【０００５】
近年、このような浴室リモコンと浴室外リモコンの通信機能を利用して、各リモコンにマイクロフォンとスピーカを設けておき、浴室リモコンと浴室外リモコンとの間で音声通話ができるようにしたものや、浴室外リモコンに音響機器を接続する接続端子を設けておき、この接続端子を介して入力される音楽などの信号を浴室リモコンに送信し、浴室リモコンで聴取できるようにしたものなどが提案されている（たとえば、特許文献１参照）。
【０００６】
これらリモコンに付加された機能は、いずれもマイクロフォンや接続端子から入力されるアナログ音声信号をリモコン内のＡ／Ｄ変換器でデジタルデータに変換し、このデジタルデータで搬送波を変調して他方のリモコンに送信するとともに、搬送波を受信した他方のリモコンは、これを復調してデジタルデータを取り出し、当該リモコン内のＤ／Ａ変換器でアナログ音声信号に変換して、スピーカから出力するようになっている。
【先行技術文献】
【特許文献】
【０００７】
【特許文献１】特開２００２−２７７０５０号公報
【発明の概要】
【発明が解決しようとする課題】
【０００８】
しかしながら、このように入力されるアナログ音声信号をリモコン内のＡ／Ｄ変換器でデジタルデータに変換して利用するリモコンシステムには以下のような問題があり、その改善が望まれていた。
【０００９】
すなわち、このような構成を採用するリモコンシステムでは、マイクロフォンや接続端子から入力されるアナログ音声信号が無信号の場合であっても、Ａ／Ｄ変換器の電源電圧のリップルや回路のばらつきなどを原因として、Ａ／Ｄ変換器の出力に数ＬＳＢ程度の揺れが発生する。そのため、このようなデジタルデータをそのままＤ／Ａ変換してスピーカから出力すると、「パリパリ」、「ザラザラ」といったノイズとなって聞こえてしまう。特に、Ａ／Ｄ変換器の分解能が低い場合には、このノイズ音が顕著に現れる傾向がある。
【００１０】
そのため、このようなリモコンシステムでは、デジタルデータをアナログ音声信号に変換するＤ／Ａ変換器に対して何らかのノイズ対策（ノイズリダクション処理）を行うことが望まれるが、上述した原因に起因するノイズの発生は、個々のリモコンに固有の現象（製品ごとに異なる個体差）であり、一律に画一的なノイズリダクション処理を行ったのでは有効なノイズ対策にならないおそれがある。
【００１１】
本発明は、このような問題点に鑑みてなされたものであって、その目的とするところは、アナログ音声信号をＡ／Ｄ変換して利用するリモコンにおいて、Ａ／Ｄ変換時における中点電位の偏位量を製品ごとに検出し、Ｄ／Ａ変換時に有効なノイズリダクション処理を実行できるようにすることにある。
【課題を解決するための手段】
【００１２】
上記目的を達成するため、本発明に係るリモコンは、アナログ音声信号をデジタルデータに変換するＡ／Ｄ変換部と、デジタルデータをアナログ音声信号に変換するＤ／Ａ変換部とを有するリモコンにおいて、上記リモコンには、制御部と、アナログ音声信号を生成するマイクロフォンとが備えられるとともに、このマイクロフォンから上記Ａ／Ｄ変換部へのアナログ音声信号の入力ライン上にミュート回路が備えられ、上記制御部は、上記ミュート回路を動作させ、上記Ａ／Ｄ変換部に対する入力を遮断することによって強制的に上記アナログ音声信号を無信号入力状態とし、このときの上記Ａ／Ｄ変換部におけるＡ／Ｄ変換値の平均値を中点電位とするとともに、上記Ａ/Ｄ変換値の最大値と最小値とから上記中点電位に対する偏位量を求め、これら中点電位および中点電位に対する偏位量を上記リモコンのＤ／Ａ変換部におけるノイズリダクション処理用のデータとして用いる制御構成を備えていることを特徴とする。
【００１３】
また、本発明に係るリモコンシステムは、アナログ音声信号をデジタルデータに変換するＡ／Ｄ変換部を有する第１のリモコンと、デジタルデータをアナログ音声信号に変換するＤ／Ａ変換部を有する第２のリモコンとが通信接続されたリモコンシステムにおいて、上記第１のリモコンには、制御部と、アナログ音声信号を生成するマイクロフォンとが備えられるとともに、このマイクロフォンから上記Ａ／Ｄ変換部へのアナログ音声信号の入力ライン上にミュート回路が備えられ、上記第１のリモコンの制御部は、上記ミュート回路を動作させ、上記Ａ／Ｄ変換部に対する入力を遮断することによって強制的に上記第１のリモコンに入力されるアナログ音声信号を無信号入力状態とし、このときの上記第１のリモコンのＡ／Ｄ変換部におけるＡ／Ｄ変換値の平均値を中点電位とするとともに、上記Ａ/Ｄ変換値の最大値と最小値とから上記中点電位に対する偏位量を求め、これら中点電位および中点電位に対する偏位量を上記第２のリモコンに送信し、これらの送信されたデータを上記第２のリモコンのＤ／Ａ変換部におけるノイズリダクション処理用のデータとして用いる制御構成を備えていることを特徴とする。
【００１４】
すなわち、本発明に係るリモコンおよびリモコンシステムは、両者に共通する構成として、制御部がミュート回路を動作させることによって、リモコンに備えられたＡ／Ｄ変換部に入力されるアナログ音声信号を強制的に無信号入力状態とし、このときの上記Ａ／Ｄ変換部におけるＡ／Ｄ変換値の平均値を中点電位とするとともに、上記Ａ/Ｄ変換値の最大値と最小値とから上記中点電位に対する偏位量を求めて、これら中点電位および中点電位に対する偏位量を、Ｄ／Ａ変換部でのノイズリダクション処理用のデータとして用いている。つまり、本発明は、Ａ／Ｄ変換部に入力されるアナログ音声信号が無信号入力状態となる状況を作為的に作り出して、そのときのＡ／Ｄ変換値の平均値を中点電位とみなし、また、このときのＡ／Ｄ変換値の最大値と最小値はＡ／Ｄ変換時の揺れ幅を示すので中点電位に対する偏位量とみなすようにしている。これにより製品固有の原因によるＡ／Ｄ変換の揺れを踏まえて、中点電位とそれに対する偏位量が得られるので、これらに基づいてＤ／Ａ変換部でのノイズリダクション処理を行うことで、個々の製品の個体差に応じて適切なノイズリダクション処理を行うことができるようになる。
【発明の効果】
【００１５】
本発明によれば、ミュート回路を動作させることによって作為的に作り出したＡ／Ｄ変換部への無信号入力状態を基準にしてＡ／Ｄ変換部の中点電位と中点電位に対する偏位量を求め、そのデータをＤ／Ａ変換時のノイズリダクション処理の基礎データとしているので、Ａ／Ｄ変換部によるＡ／Ｄ変換時の個体差を加味して最適なノイズリダクション処理を行うことができ、画一的なノイズリダクション処理を行う場合に比して、より精度の高いノイズリダクション処理を行うことができる。その結果、本発明に係るリモコンおよびリモコンシステムでは、Ｄ／Ａ変換時のノイズを少なくすることができる。
【図面の簡単な説明】
【００１６】
【図１】本発明に係るリモコンシステムの概略構成の一例を示す説明図である。
【図２】同リモコンシステムにおける浴室外リモコンの一実施形態の概略構成を示すブロック図である。
【発明を実施するための形態】
【００１７】
以下、本発明の実施形態を図面に基づいて詳細に説明する。
本発明に係るリモコンシステムは、風呂機能を備えた給湯装置の遠隔操作に用いられる複数のリモコンを有して構成されており、本実施形態では、図１に示すように、浴室に設置される浴室リモコン１と、浴室以外の場所（たとえば、台所）に設置される浴室外リモコン２と、これらリモコン１，２の制御対象である給湯装置３とを主要部として構成されている。
【００１８】
そこで、まずリモコン１，２の制御対象である給湯装置３から説明する。
給湯装置３は、上述したように風呂機能を備えた給湯装置で構成されている。ここで風呂機能とは、図示しない浴槽への湯張り（浴槽への注湯）機能や、浴槽に張られたお湯の追い焚き（または浴槽への足し湯）機能などの総称であり、図１に示す給湯装置３は、これら湯張り、追い焚き機能のうち少なくとも１の機能を備えた給湯装置で構成されている。
【００１９】
給湯装置３には、当該給湯装置３における給湯機能や風呂機能を制御するためのコントローラ（給湯装置の制御部）４が備えられており、上記浴室リモコン１と浴室外リモコン２とが通信ケーブル５を介してこのコントローラ４に接続され、これら各リモコン１，２から与えられる制御信号に基づいて、コントローラ４が給湯装置３の各部の動作を制御するように構成されている。なお、風呂機能を備えた給湯装置において、給湯機能や風呂機能を実現するための基本的な構成（たとえば、湯水を加熱するための熱交換器や熱交換器を加熱する燃焼部の構成など）は周知であるので、ここではこれらの基本的な構成についての説明は省略する。
【００２０】
次に、浴室リモコン１および浴室外リモコン２について説明する。
浴室リモコン１および浴室外リモコン２は、いずれも給湯装置３を遠隔操作するために設けられた操作装置であって、これら浴室リモコン１および浴室外リモコン２は、上述したように、通信ケーブル５を介してそれぞれが給湯装置３のコントローラ４と接続されており、給湯装置３およびリモコン１，２同士間で通信できるようになっている。つまり、浴室リモコン１と浴室外リモコン２は、給湯装置３を介して相互に通信接続されている。なお、この給湯装置３を介しての浴室リモコン１と浴室外リモコン２との通信接続は、給湯装置３のコントローラ４を介して行う場合と、給湯装置３に通信接続用の端子台（具体的には、コントローラ４と通信ケーブルで接続された端子台）を設けて、この端子台を介してコントローラ４と端子台に接続される全てのリモコンとを通信接続する場合（つまり、コントローラ４を介さずにリモコン同士を通信接続する場合）とがあるが、いずれの方法で通信接続されていてもよい。
【００２１】
このように浴室リモコン１と浴室外リモコン２とが通信接続されていることから、たとえば、浴室外リモコン２で給湯装置３に対する遠隔操作が行われると、その操作に応じて浴室外リモコン２で生成された制御信号は、通信ケーブル５を介して、給湯装置３のコントローラ４と浴室リモコン１の双方に与えられ、コントローラ４および浴室リモコン１の双方に当該制御信号の内容がそれぞれ反映される。
【００２２】
具体的には、たとえば、浴室外リモコン２で給湯設定温度の変更操作が行われると、その操作に応じて生成された制御信号（給湯設定温度の変更を指示する制御信号）は、給湯装置３のコントローラ４および浴室リモコン１のそれぞれに与えられ、コントローラ４および浴室リモコン１に給湯設定温度として保持されているデータが変更される。そのため、給湯装置３のコントローラ４では、この後はこの変更後のデータを新たな給湯目標温度として給湯制御が行われる。また、浴室リモコン１では、変更後のデータが新たな給湯設定温度として表示されるとともに、その後における給湯設定温度の変更操作（給湯設定温度の上昇または下降の操作）は、この変更後のデータを基準として受け付け処理されるようになる。
【００２３】
なお、浴室リモコン１において給湯装置３に対する遠隔操作が行われたときも上述した浴室外リモコン２で給湯装置３に対する遠隔操作が行われときと同様に、その操作によって浴室リモコン１で生成された制御信号がコントローラ４および浴室外リモコン２の双方に反映される。
【００２４】
そして、本実施形態に示す浴室リモコン１および浴室外リモコン２では、浴室リモコン１と浴室外リモコン２とが通信接続されていることを利用して、浴室リモコン１と浴室外リモコン２との間で音声通話ができるようになっている。
【００２５】
具体的には、この音声通話機能を実現するために、本実施形態に示す浴室リモコン１および浴室外リモコン２には、それぞれ、音声送信用の回路として、音声を入力するためのマイクロフォンと、このマイクロフォンで得られた電気信号（アナログ音声信号）をデジタルデータに変換するＡ／Ｄ変換部と、このＡ／Ｄ変換部で得られたデジタルデータで送信用の搬送波を変調する変調回路とが設けられるとともに、音声受信用の回路として、給湯装置３を経由して他のリモコンから受信した搬送波を復調する復調回路と、復調回路で得られたデジタルデータをアナログ音声信号に変換するＤ／Ａ変換部と、Ｄ／Ａ変換部で得られたアナログ音声信号を増幅する増幅回路と、増幅回路で増幅されたアナログ音声信号を外部に出力するスピーカとが設けられている。
【００２６】
したがって、たとえば、浴室外リモコン２で音声通話を開始させる操作が行われ、この状態で、浴室外リモコン２のマイクロフォンに音声が入力されると、当該音声はマイクロフォンでアナログ音声信号に変換されるとともに、Ａ／Ｄ変換部でデジタルデータに変換され、その後に変調回路によって変調された搬送波が浴室リモコン１に送信される。つまり、浴室外リモコン２のＡ／Ｄ変換部で生成されたデジタルデータは、給湯装置３を経由して浴室リモコン１に送信される。
【００２７】
これに対して、浴室リモコン１では、通信ケーブル５を介して受信した搬送波を復調回路で復調してデジタルデータが取り出され、この取り出されたデジタルデータがＤ／Ａ変換部でアナログ音声信号に変換され、さらに増幅回路で増幅されてスピーカから人が聴取可能な音声として出力される。なお、この音声通話機能は、浴室リモコン１側から通話を行う場合も上述したのと同様の手順で行われる。すなわち、浴室リモコン１のマイクロフォンに入力された音声は、浴室リモコン１に設けられたマイクロフォンでアナログ音声信号に変換されるとともに、Ａ／Ｄ変換部でデジタルデータに変換された後に変調回路を介して浴室外リモコン２に向けて送信される。
【００２８】
また、本実施形態に示すリモコンシステムでは、このような浴室リモコン１と浴室外リモコン２との音声通話機能（具体的には、各リモコン１，２に備えられる変調回路、復調回路など）を利用して、浴室外リモコン２にデジタルオーディオプレーヤなどの音響機器を接続し、この音響機器から出力される音楽など（アナログ音声信号）をリモコン１，２間の通信機能を用いて浴室リモコン１に送信し、浴室リモコン１で聴取できるようにされている。
【００２９】
図２は、このような機能に関連した浴室外リモコン２の概略構成を示している。
この図２に示すように、本実施形態の浴室外リモコン２は、同リモコン２の各部を制御するマイコンを有する制御部１０と、給湯装置３に対する遠隔操作指示などを入力するための各種操作スイッチで構成される操作部１１と、給湯装置３の状態などを表示するための表示デバイスで構成される表示部１２と、上述した音声通話機能に用いるマイクロフォン１３と、上記マイクロフォン１３から入力されるアナログ音声信号をデジタルデータに変換するＡ／Ｄ変換部１４と、上記変調回路および復調回路で構成される変復調回路１５と、この変復調回路１５で復調されたデジタルデータをアナログ音声信号に変換するＤ／Ａ変換部１６と、上記Ｄ／Ａ変換部１６から出力されるアナログ音声信号を増幅する増幅回路１７と、この増幅回路１７で増幅されたアナログ音声信号を外部に出力するスピーカ１８とを備えるとともに、音響機器６を接続するための接続端子７と、この接続端子７から入力されるアナログ音声信号をデジタルデータに変換するためのＡ／Ｄ変換部８とを備えている。なお、本実施形態では、上述したＡ／Ｄ変換部８，１４およびＤ／Ａ変換部１６は集積化されたデジタル制御デバイス１９に備えられている。
【００３０】
ここで、上記音響機器６から出力されるアナログ音声信号としては、たとえば、音響機器６に設けられるヘッドホン出力のように、音響機器６側で出力レベルの調整（音量調整）ができるアナログ音声信号が用いられる。そのため、上記接続端子７には、音響機器６のヘッドホン出力と接続可能な形態の端子（たとえば、ステレオミニジャック）が採用されている。
【００３１】
そして、浴室リモコン１で音響機器６から出力される音楽等を聴取する場合、上記接続端子７と音響機器６のヘッドホン出力とをケーブル９で接続し、この状態で音響機器６を再生する。これにより、音響機器６のヘッドホン出力から出力されるアナログ音声信号が接続端子７を介してＡ／Ｄ変換部８に供給され、Ａ／Ｄ変換部８でデジタルデータに変換された後に変復調回路１５で変調された搬送波が浴室リモコン１に送信される。これに対して、浴室リモコン１では、受信した搬送波を音声通話と同様の手順で復調、Ｄ／Ａ変換、増幅してスピーカから出力することにより、浴室リモコン１において音楽などの聴取ができるようになっている。
【００３２】
なお、浴室リモコン１の構成については特に図示しないが、上述した接続端子７と、この接続端子７から入力されるアナログ音声信号をＡ／Ｄ変換するＡ／Ｄ変換部８を備えていないだけで、その他の構成は浴室外リモコン２と共通している。
【００３３】
しかして、このように構成された浴室リモコン１および浴室外リモコン２について、本実施形態では、電源電圧のリップルや回路のばらつきなどに起因してＡ／Ｄ変換部に発生するＡ／Ｄ変換値の揺れによってＤ／Ａ変換時に発生するノイズを抑制するために、Ａ／Ｄ変換部の中点電位とこの中点電位に対する偏位量を以下の手順で求めるようにしている。
【００３４】
以下、この点について、音声通話用のＡ／Ｄ変換部１４を例に説明する。
Ａ／Ｄ変換部１４の中点電位とその偏位量を求める場合、浴室外リモコン２の制御部１０は、まず、Ａ／Ｄ変換部１４に入力されるアナログ音声信号が無信号入力状態となるようにする。
【００３５】
具体的には、たとえば、表示部１２に「音を立てないで下さい」といった趣旨の表示を行わせて、マイクロフォン１３が音を拾わない静粛な状態を保つように注意喚起を行い、マイクロフォン１３からの入力が無信号入力状態となるようにする。あるいは、図２に示すように、マイクロフォン１３からＡ／Ｄ変換部１４へのアナログ音声信号の入力ライン上にミュート回路２０を設けておき、制御部１０の制御でこのミュート回路２０を動作させ、Ａ／Ｄ変換部１４に対する入力を遮断して強制的に無信号入力状態にする。
【００３６】
このようにして、Ａ／Ｄ変換部１４が無信号入力状態となると、制御部１０はこの状態で、Ａ／Ｄ変換部１４でのＡ／Ｄ変換値を求める。具体的には、無信号入力状態が継続している状態で、所定時間内におけるＡ／Ｄ変換値の最大値と最小値とこの間の平均値とを求める。
【００３７】
そして、制御部１０は、これらの各値を求めると、平均値をＡ／Ｄ変換時の中点電位とするとともに、最大値と最小値の範囲を上記中点電位に対する偏位量とし、これら中点電位と中点電位に対する偏位量をＤ／Ａ変換時のノイズリダクション処理に用いるデータとする。
【００３８】
具体的には、Ａ／Ｄ変換部１４で変換されたデジタルデータを浴室外リモコン（第１のリモコン）２のＤ／Ａ変換部１６でアナログ音声信号に変換する場合には、これらのデータをＤ／Ａ変換部１６でのノイズリダクション処理に用いるデータとして使用する。一方、Ａ／Ｄ変換部１４で変換されたデジタルデータを浴室リモコン（第２のリモコン）１のＤ／Ａ変換部（図示せず）でアナログ音声信号に変換する場合には、制御部１０は、これらのデータを浴室リモコン１に送信する。この場合、浴室リモコン１の制御部（図示せず）が、当該データを浴室リモコン１のＤ／Ａ変換部でのノイズリダクション処理に用いるデータとして使用する。
【００３９】
ここで、このＤ／Ａ変換時のノイズリダクション処理としては、たとえば、Ｄ／Ａ変換部においてデジタルデータをアナログ音声信号に変換する際に、中点電位とその変位量の範囲内にあるデータは、１つの同じデジタルデータして扱うなどの処理が行われる。
【００４０】
なお、音響機器６から入力されるアナログ音声信号をＡ／Ｄ変換部８でデジタルデータに変換する場合も上述したＡ／Ｄ変換部１４における処理と同じ処理、つまり、無信号入力時におけるＡ／Ｄ変換値の最大値と最小値と平均値とを求め、その平均値をＡ／Ｄ変換時の中点電位とするとともに、その最大値と最小値を中点電位に対する偏位量としておき、Ａ／Ｄ変換部８で生成されたデジタルデータをＤ／Ａ変換する際には、この中点電位とその偏位量をＤ／Ａ変換時のノイズリダクション処理に用いる。この点は、浴室リモコン１のＡ／Ｄ変換部（図示せず）についても同様である。
【００４１】
このように、本実施形態に示すリモコンシステムでは、Ａ／Ｄ変換部に入力されるアナログ音声信号が無信号入力状態となる状況を作為的に作り出して、そのときのＡ／Ｄ変換値の平均値を中点電位とみなし、また、このときのＡ／Ｄ変換値の最大値と最小値は中点電位に対する偏位量とみなすようにしているので、製品固有の原因によるＡ／Ｄ変換の揺れを考慮に入れて、中点電位とそれに対する偏位量を求めることができる。そして、これらのデータに基づいてＤ／Ａ変換部でのノイズリダクション処理を行うことにより、Ａ／Ｄ変換部の個体差に応じて適切なノイズリダクション処理ができるようになり、Ｄ／Ａ変換の際のノイズを少なくすることができる。
【００４２】
なお、上述した実施形態は本発明の好適な実施態様を示すものであって、本発明はこれらに限定されることなく発明の範囲内で種々の設計変更が可能である。
【００４３】
たとえば、上述した実施形態では、接続端子７とＡ／Ｄ変換部８との間およびマイクロフォン１３とＡ／Ｄ変換部１４の間にそれぞれアナログ音声信号を強制的に遮断するミュート回路２０，２０を設けた場合を示したが、このミュート回路２０はそのいずれか一方または双方を省略して構成することも可能である。
【００４４】
また、上述した無信号入力状態におけるＡ／Ｄ変換部の中点電位等の測定は、リモコンの生産工程やリモコンを施工する際の試運転時などに予め行っておくようにすることができるほか、ユーザによる操作によって実施されるようにしたり、あるいは、一定の条件を満たすことで自動的に実施されるようにプログラムしておくなど中点電位とその変位量のデータが適宜更新できるようにするなど、その実施時期については任意に設計可能である。
【符号の説明】
【００４５】
１                浴室リモコン
２                浴室外リモコン
３                給湯装置
４                コントローラ
５                通信ケーブル
６                音響機器
７                接続端子
８                Ａ／Ｄ変換部
１０              制御部
１１              操作部
１２              表示部
１４              Ａ／Ｄ変換部
１５              変復調回路
１６              Ｄ／Ａ変換部
１８              スピーカ
２０              ミュート回路
【図１】
0005736838.tif 000002
【図２】
0005736838.tif 000003